(57)【特許請求の範囲】
【請求項１】
床面上に設置され、物品を支持する支持部が設けられた脚体構造であって、
前記支持部が設けられる基部と、
前記基部から前記床面に沿って延びる延出部と、
前記脚体構造を識別するための識別表示部と、
前記支持部に設けられたハンドルアタッチメントと、を備え、
前記識別表示部は、前記延出部の縁部に、前記延出部の上面よりも下方の位置に設けられていることを特徴とする脚体構造。
【請求項２】
前記識別表示部は、前記延出部の先端よりも延出方向の前方に配置されるとともに、上方を向いていることを特徴とする請求項１に記載の脚体構造。
【請求項３】
前記延出部に着脱可能に取り付けられて前記識別表示部の設けられた識別表示部材を、さらに備えることを特徴とする請求項１または２に記載の脚体構造。
【請求項４】
前記床面上を走行可能なキャスタを、さらに備え、
前記識別表示部材は、前記キャスタとともに前記延出部に締結固定されていることを特徴とする請求項３に記載の脚体構造。
【請求項５】
一の前記脚体構造の前記識別表示部の色と、他の前記脚体構造の前記識別表示部の色とは異なることを特徴とする請求項１から４のいずれか一項に記載の脚体構造。
【請求項６】
請求項１から５のいずれか一項に記載の脚体構造と、
前記脚体構造に設けられた支柱部と、
前記支持部に設けられ、輸液パックが吊り下げ支持される輸液吊り下げ部と、を備えることを特徴とする点滴スタンド。
【発明の詳細な説明】
【技術分野】
【０００１】
本発明は、物品を支持する支持部が設けられた脚体構造及び点滴スタンドに関するものである。
【背景技術】
【０００２】
一般に、病院や介護施設、自宅等において、患者に対する治療行為として輸液を注射針で投与する点滴治療をするケースが多く見られる。点滴は、輸液パックを患者よりも高い位置に配置し、重力を利用して輸液パック内の輸液を患者の体内に送るという仕組みであるため、輸液パックを患者の上方に支持しておく点滴スタンドを用いるのが一般的である。
【０００３】
こうした点滴スタンドとして、床面上に設置される脚部と、脚部から上方に延びる支柱と、支柱の上部に取り付けられ輸液パックを吊り下げ可能な液体容器保持部と、を備えたものが提案されている（下記の特許文献１，２参照）。
【０００４】
上記の点滴スタンドは、脚部に設けられ回動可能とされたキャスタを、さらに備え、床面上を移動可能とされている。これにより、看護師や患者等の利用者は、所望の場所に点滴スタンドを移動させることができる。
【先行技術文献】
【特許文献】
【０００５】
【特許文献１】特開２０１２−０１０７１８号公報
【特許文献２】特許第３４６６１８０号公報
【発明の概要】
【発明が解決しようとする課題】
【０００６】
しかしながら、病院内の複数の部門において点滴スタンドを利用する場合には、上記の特許文献１，２に記載の点滴スタンドでは、利用者が点滴スタンドを所属する部門以外の部門に移動してしまう可能性がある。この場合には、一の部門において、当該一の部門の点滴スタンドと他の部門の点滴スタンドとが混在し、管理が困難になってしまうという問題点がある。
【０００７】
本発明は、上記事情に鑑みてなされたものであり、各々を識別可能な脚体構造及び点滴スタンドを提供するものである。
【課題を解決するための手段】
【０００８】
上記目的を達成するために、本発明は以下の手段を採用している。
すなわち、本発明に係る脚体構造は、床面上に設置され、物品を支持する支持部が設けられた脚体構造であって、前記支持部が設けられる基部と、前記基部から前記床面に沿って延びる延出部と、前記脚体構造を識別するための識別表示部と、前記支持部に設けられたハンドルアタッチメントと、を備え、前記識別表示部は、前記延出部の縁部に、前記延出部の上面よりも下方の位置に設けられていることを特徴とする。
また、本発明に係る脚体構造は、前記識別表示部は、前記延出部の先端よりも延出方向の前方に配置されるとともに、上方を向いていることが好ましい。
【０００９】
このように構成された脚体構造では、基部から延びる延出部の縁部に、脚体構造を識別するための識別表示部が設けられているため、利用者は識別表示部を見ることにより脚体構造を識別することができる。
また、識別表示部は、延出部の上面よりも下方位置に設けられているため、例えば利用者の足等が識別表示部に当たることが抑制される。よって、識別表示部は汚れにくいため、識別しやすい状況を維持することができる。
【００１４】
また、本発明に係る脚体構造は、前記延出部に着脱可能に取り付けられて前記識別表示部の設けられた識別表示部材を、さらに備えてもよい。
【００１５】
このように構成された脚体構造では、識別表示部は、延出部の先端よりも延出方向の前方に設けられているため、利用者は延出部の先端側で各脚体構造を識別することができる。
【００１８】
また、本発明に係る脚体構造は、前記床面上を走行可能なキャスタを、さらに備え、
前記識別表示部材は、前記キャスタとともに前記延出部に締結固定されていてもよい。
【００１９】
このように構成された脚体構造では、識別表示部の設けられた識別表示部材は、キャスタとともに延出部に締結固定されているため、識別表示部材の締結構造とキャスタの締結構造とを共通化することができる簡易な構成とすることができるとともに、キャスタにより移動可能な構成とすることができる。
【００２２】
また、本発明に係る脚体構造は、一の前記脚体構造の前記識別表示部の色と、他の前記脚体構造の前記識別表示部の色とは異なっていてもよい。
【００２３】
このように構成された脚体構造では、一の脚体構造と他の脚体構造とでは、識別表示部の色が異なるため、識別性を高めることができる。
【００２６】
また、本発明に係る点滴スタンドは、上記のいずれか一に記載の脚体構造と、前記脚体構造に設けられた支柱部と、前記支持部に設けられ、輸液パックが吊り下げ支持される輸液吊り下げ部と、を備えることを特徴とする。
【００２７】
このように構成された点滴スタンドでは、基部から延びる延出部の縁部に、脚体構造を識別するための識別表示部が設けられているため、利用者は識別表示部を見ることにより点滴スタンドを識別することができる。
また、識別表示部は、延出部の上面よりも下方位置に設けられているため、例えば利用者の足等が識別表示部に当たることが抑制される。よって、識別表示部は汚れにくいため、識別しやすい状況を維持することができる。
【発明の効果】
【００３０】
本発明に係る脚体構造及び点滴スタンドによれば、各々を識別することができる。
【図面の簡単な説明】
【００３１】
【図１】本発明の一実施形態おける点滴スタンドの斜視図である。
【図２】本発明の一実施形態における点滴スタンドを構成する脚体構造の部分拡大側面図である。
【図３】本発明の一実施形態における点滴スタンドを構成する脚体構造の分解斜視図である。
【図４】本発明の一実施形態における点滴スタンドを構成する脚体構造の延出部周辺の平面図である。
【図５】本発明の一実施形態における点滴スタンドを構成する脚体構造の識別表示部の斜視図である。
【発明を実施するための形態】
【００３２】
以下、本発明の実施形態に係る点滴スタンドについて説明する。
図１は、本発明の一実施形態おける点滴スタンドの斜視図である。
図１に示すように、点滴スタンド１は、病院や介護施設、自宅等の床面上に設置される脚部ブロック２と、脚部ブロック２に支持されて上方に延びる支柱部（支持部）３と、支柱部３の上端に取り付けられ、輸液パックＰを吊り下げ支持する輸液吊り下げ具４と、を備えている。
【００３３】
（脚部ブロック）
脚部ブロック２は、支柱部３の下端を保持するボス部（基部）１０と、ボス部１０の外周側から放射線状に床面に沿って延びる５本の脚フレーム（延出部）１１，１１…と、を有している。さらに、脚部ブロック２は、脚フレーム１１の先端に設けられ光を蓄えて発光する識別表示部材１００と、床面上を走行可能なキャスタ１２と、を有している。当該構成により、脚部ブロック２は、キャスタ１２を介して床面上を移動可能にされている。
本実施形態では、脚体構造は、ボス部１０と、脚フレーム１１と、識別表示部材１００で構成されている。
【００３４】
脚フレーム１１は、平面視において、ボス部１０を中心として、ボス部１０の外周側から放射線状に延びている。隣接する脚フレーム１１，１１同士の離間距離が等しくなるように、各脚フレーム１１は配置されている。
ここで、ボス部１０から脚フレーム１１の先端に向かう方向を延出方向とし、脚フレーム１１側を先端側（前側）、ボス部１０側を後端側とする。また、延出方向に直交し床面に沿う方向を幅方向とする。
【００３５】
図２は、点滴スタンド１を構成する脚部ブロック２の部分拡大側面図である。図３は、点滴スタンド１を構成する脚部ブロック２の分解斜視図である。図４は、点滴スタンド１を構成する脚フレーム１１周辺の平面図である。
図２〜４に示すように、脚フレーム１１は、床面の上方に配置された上壁部１１Ａと、上壁部１１Ａの幅方向の端部から下方に折曲された一対の側壁部１１Ｂ，１１Ｂと、上壁部１１Ａの先端から下方に折曲された先端壁部１１Ｃと、を有している。これら上壁部１１Ａ、側壁部１１Ｂ及び先端壁部１１Ｃは、一体に形成されている。
【００３６】
上壁部１１Ａは、先端側に向かうにしたがって下方に向かうように傾斜配置されている。ボス部１０から延び、先端側では円弧状に形成されている。これにより、先端壁部１１Ｃは先端側にむかって膨らむように湾曲形成されている。
【００３７】
上壁部１１Ａの端部から折曲された側壁部１１Ｂは、先端側に向かうにしたがって下方に向かうように傾斜配置されている。
【００３８】
また、上壁部１１Ａの下面には、側壁部１１Ｂと幅方向に離間して一対の補強壁部１１Ｄ，１１Ｄが設けられている。一対の補強壁部１１Ｄ，１１Ｄの先端は、先端側に向かって膨らむように湾曲形成された前湾曲壁部１１Ｅにより連結されている。
【００３９】
一対の補強壁部１１Ｄ，１１Ｄ同士は、互いに折曲形成されたプレートが組み合わさった連結体１１Ｇにより幅方向に連結されている。
【００４０】
前湾曲壁部１１Ｅと補強壁部１１Ｄとの境界部には、後端側に向かって膨らむように湾曲形成された後湾曲壁部１１Ｈが形成されている。前湾曲壁部１１Ｅと後湾曲壁部１１Ｈとにより、環状の嵌合壁部１１Ｉが形成されている。この嵌合壁部１１Ｉには、六角ナット１１Ｚが嵌め込まれている。
【００４１】
側壁部１１Ｂ及び先端壁部１１Ｃと前湾曲壁部１１Ｅとは、５本のリブ１１Ｒにより連結されている。リブ１１Ｒは、環状の嵌合壁部１１Ｉの中心から放射線状に配置されている。
【００４２】
識別表示部材１００は、平面視においてボス部１０側に向かって開口する略Ｕ字状に形成されている。この識別表示部材１００は、弾性変形可能な樹脂材料により形成されている。
【００４３】
識別表示部材１００は、平面視略Ｕ字状に形成された台座部１１０と、台座部１１０の上部に設けられた脚嵌合部１２０と、を有している。これら台座部１１０と脚嵌合部１２０とは、一体に形成されている。
【００４４】
台座部１１０は、平面視略Ｕ字状に形成された上壁部１１１と、上壁部１１１の外縁から折曲形成された外周壁部１１２と、上壁部１１１の内縁から折曲形成された内周壁部１１３と、上壁部１１１と反対側に配置された下壁部１１４と、を有している。
【００４５】
上壁部１１１には、外周壁部１１２に沿って縁部１１０Ｆが形成されている。また、上壁部１１１において、脚フレーム１１の先端側では、下方（内方）に向かって凹む凹部１１０Ａが形成されている。
【００４６】
凹部１１０Ａは、平面視においてボス部１０側に向かって開口する略Ｃ字状に形成されている。凹部１１０Ａは、平面視において脚フレーム１１の幅方向中心側に向かうにしたがって幅が広くなるように形成されている。
【００４７】
凹部１１０Ａには、蓄光性材料で形成された蓄光パーツ（識別表示部）１１０Ｐが貼り付けられている。この蓄光パーツ１１０Ｐは、硫化亜鉛（ＺｎＳ系）やアルミン酸ストロンチウム（ＳｒＡｌ２Ｏ４系）等の蓄光素材を含む弾性を有する樹脂材料によりブロック状に形成されている。
【００４８】
蓄光パーツ１１０Ｐは、他の脚部ブロック２、しいては他の点滴スタンドと識別するためのものである。なお、識別表示部としては、凹部１１０Ａに蓄光塗料を流し込むことにより形成してもよい。これにより、蓄光パーツ１１０Ｐの上面は、台座部１１０の上面と同一面上とされている。
【００４９】
内周壁部１１３の下側において、脚フレーム１１の先端側では、連結壁部１１６が設けられている。この連結壁部１１６には、上下方向に貫通する取付孔１１６Ａが形成されている。
【００５０】
脚嵌合部１２０は、平面視略Ｕ字状に形成されている。脚嵌合部１２０には、下方に向かって凹む複数の嵌合溝１２０Ａが形成されている。嵌合溝１２０Ａは、取付孔１１６Ａの中心から放射線状に、脚フレーム１１のリブ１１Ｒと対応する位置に配置されている。
【００５１】
キャスタ１２は、回動可能とされたキャスタ本体１２Ａと、キャスタ本体１２Ａの上部に設けられた軸部１２Ｂと、軸部１２Ｂから上方に設けられた雄ネジ部１２Ｃと、を有している。
【００５２】
このキャスタ１２の雄ネジ部１２Ｃは、識別表示部材１００の連結壁部１１６の取付孔１１６Ａに挿通され、脚フレーム１１に取り付けられた六角ナット１１Ｚに螺合されている。この際、キャスタ１２の軸部１２Ｂの上部は、識別表示部材１００を脚フレーム１１に向かって押圧している。このように、識別表示部材１００は、キャスタ１２とともに脚フレーム１１に、着脱可能に締結固定されている。
【００５３】
また、この状態において、脚フレーム１１のリブ１１Ｒは、識別表示部材１００のそれぞれ対応する嵌合溝１２０Ａに嵌め込まれている。これにより、脚フレーム１１と識別表示部材１００との水平方向の移動が規制されている。
【００５４】
図２、４に示すように、蓄光パーツ１１０Ｐは、脚フレーム１１の下部に、詳細には脚フレーム１１の上壁部１１Ａの上面よりも下方の位置に設けられている。また、側壁部１１Ｂは先端側に向かうにしたがって下方に向かうように傾斜配置されているため、蓄光パーツ１１０Ｐの上面と脚フレーム１１の側壁部１１Ｂの下端１１Ｘとの間には空間部Ｓが形成されている。また、図４に示すように、蓄光パーツ１１０Ｐの少なくとも一部は、脚フレーム１１の先端よりも先端側（延出方向の前方）に配置されている。
【００５５】
また、蓄光パーツ１１０Ｐの幅方向の寸法は、脚フレームの幅方向の寸法以下である。本実施形態では、図４に示すように、蓄光パーツ１１０Ｐの幅方向の寸法は、脚フレームの幅方向の寸法と同じＸである。
【００５６】
（支柱部）
支柱部３は、下端が脚部ブロック２に取り付けられた中空状のアウタ支柱３Ａと、上端に輸液吊り下げ具４が取り付けられた中空状のインナ支柱３Ｂと、を有している。インナ支柱３Ｂの下部は、アウタ支柱３Ａの上部に摺動自在に嵌入されている。支柱部３の内部には、アウタ支柱３Ａとインナ支柱３Ｂとの相対位置を固定するための図示しないロック機構が装備され、そのロック機構を解除することにより、アウタ支柱３Ａとインナ支柱３Ｂとの相対位置（支柱部３の伸縮長さ）を適宜調整できるようになっている。
【００５７】
インナ支柱３Ｂの上下方向の略中間部には、上記のロック機構を解除操作するための解除操作スリーブ１４が設けられている。この解除操作スリーブ１４は、インナ支柱３Ｂの内部においてロック機構のロック解除片に接続され、看護師等の操作者によって上方にスライド操作されたときにロック機構を解除し、下方に戻し操作されたときにロック機構を再度ロック状態に維持するようになっている。
【００５８】
また、アウタ支柱３Ａには、荷掛けフックアタッチメント１５及びハンドルアタッチメント１６が昇降調整可能に取り付けられている。
【００５９】
荷掛けフックアタッチメント１５は、アウタ支柱３Ａの外周面に対して締結固定可能なボス部１７と、ボス部１７から相反方向に延出する一対のフック部１８，１８と、を有している。この荷掛けフックアタッチメント１５において、各フック部１８にウロバッグや手荷物１９等を適宜吊り下げ支持できるようになっている。
【００６０】
ハンドルアタッチメント１６は、円環状のハンドル本体２０と、ハンドル本体２０の下方に所定距離離間して配置される円板状のトレー２１と、トレー２１とハンドル本体２０を連結する一対の連結支柱２２，２２と、アウタ支柱３Ａの外周面に対して締結固定可能なボス部２４と、を有している。
【００６１】
トレー２１には、その中心部からオフセットした位置に、上下に貫通する挿通孔２３が設けられ、その挿通孔２３にアウタ支柱３Ａが挿通されるようになっている。
【００６２】
ボス部２４は、トレー２１の下面の挿通孔２３と同軸となる位置に設けられている。トレー２１は、ハンドル本体２０の内周面よりも一回り小さい円形形状に形成され、ハンドル本体２０に対して同心となるように配置されている。トレー２１とハンドル本体２０を連結する連結支柱２２は、トレー２１の外周側の上面とハンドル本体２０の内周側の下面を連結するように傾斜して配置されている。ハンドル本体２０とトレー２１の間には、連結支柱２２を介して、操作者がハンドル本体２０を把持するに充分な把持空間部２５が確保されている。
【００６３】
このハンドルアタッチメント１６は、ハンドル本体２０が、連結支柱２２とトレー２１とボス部２４を介してアウタ支柱３Ａの外周面に結合されている。このため、ハンドル本体２０を把持した操作者は、脚部ブロック２のキャスタ１２がロックされていなければ、点滴スタンド１を自由な方向に移動させることができる。
【００６４】
また、ハンドルアタッチメント１６のトレー２１上にはカップ等の物品２６を載置できるようになっている。ハンドル本体２０は、トレー２１との間に把持空間部２５が確保されているものの、トレー２１の上面からの高さが、カップ等の患者が日常一般に使用する物品２６の高さよりも低く設定され、トレー２１上に載置された物品２６の落下を規制するガイド壁としても機能するようになっている。そして、この実施形態の場合、アウタ支柱３Ａが挿通されるトレー２１上の挿通孔２３がトレー２１の中心からオフセットした位置に配置されているため、トレー２１上には、アウタ支柱３Ａと干渉することのない充分な物品配置スペースが確保されている。
【００６５】
（輸液吊り下げ具）
輸液吊り下げ具４は、支柱部３のインナ支柱３Ｂの上端部に締結固定されるボス部２７と、支柱部３の軸心ｏ回りを取り囲むように上下方向に沿って立設された略方形筒状の周壁２８と、ボス部２７と周壁２８を連結する連結支柱２９と、周壁２８の下端寄りの外側面から外側（支柱部３の軸心ｏの位置される側と逆側）に突出する４つの吊り下げ支持片３０…と、を有している。
【００６６】
周壁２８は、左右方向の両側の縁部が円弧状に丸みをおびた４つの支持壁３１…が方形状に配置され、隣接する支持壁３１，３１同士が相互に連結された形状とされている。周壁２８全体が硬質の樹脂材料によって方形筒状に一体に形成されている。各支持壁３１の外面３１ａ（支柱部３の軸心ｏの位置される側と逆側の面）は幅方向の中央領域を中心としてほぼ平坦に形成されている。
【００６７】
連結支柱２９は、各支持壁３１の下縁の幅方向の中央位置とボス部２７の外面とを連結するように計４つ設けられている。吊り下げ支持片３０は、金属製の板材によって断面略Ｌ字状に形成され、Ｌ字の一辺を成す部分が対応する支持壁３１の下縁の幅方向の中央位置に取り付けられるとともに、Ｌ字の他辺を成す部分が上方に向かって延出している。吊り下げ支持片３０のＬ字の一辺を成す部分は、その一部を残して先端部領域が対応する支持壁３１と連結支柱２９に挿し込まれ、その状態で対応する連結支柱２９に固定されている。各吊り下げ支持片３０には、図１に示すように、輸液パックＰの吊り下げ孔７が係合可能とされている。なお、図１中の符号８ａは、吊り下げ孔７が形成されている輸液パックＰの上シール部であり、符号９は、図示しない点滴チューブが接続される輸液パックＰの注出筒である。
【００６８】
このように構成された点滴スタンド１では、ボス部１０から延びる脚フレーム１１の先端側には、点滴スタンド１を識別するための蓄光パーツ１１０Ｐが設けられているため、利用者は蓄光パーツ１１０Ｐを見ることにより点滴スタンド１を識別することができる。
【００６９】
また、万が一、利用者の足が上方から床面に向かって下方に下りてきて点滴スタンド１に当たりそうにあっても、図２に示すように、蓄光パーツ１１０Ｐは、脚フレーム１１の上壁部１１Ａの上面よりも下方の位置に設けられているため、足が蓄光パーツ１１０Ｐには当たらない。よって、蓄光パーツ１１０Ｐの汚れ、損傷を抑制することができるため、識別しやすい状況を維持することができる。
【００７０】
また、蓄光パーツ１１０Ｐは、蓄光パーツ１１０Ｐの上面と脚フレーム１１の側壁部１１Ｂの下端１１Ｘとの間には空間部Ｓが形成するように配置されている。よって、利用者が脚フレーム１１の幅方向側方の上方から脚フレーム１１を見た際には、空間部Ｓの下方に配置された蓄光パーツ１１０Ｐを視認することができるため、点滴スタンド１の識別性を高めることができる。
【００７１】
また、蓄光パーツ１１０Ｐの幅方向の寸法は脚フレーム１１の幅方向の寸法と略同一である。よって、点滴スタンド１の識別性を確保しつつ、蓄光パーツ１１０Ｐの幅方向の面積を大きく確保することができる。さらに、蓄光パーツ１１０Ｐが脚フレーム１１よりも幅方向外側に突出することがないため、コンパクトな構成とすることができる。よって、利用者が点滴スタンド１を利用する際に、脚フレーム１１の幅方向において蓄光パーツ１１０Ｐが邪魔にならない。
【００７２】
また、蓄光パーツ１１０Ｐは、脚フレーム１１の先端に設けられているため、利用者は脚フレーム１１の先端側で各点滴スタンド１を識別することができる。
【００７３】
また、蓄光パーツ１１０Ｐは、脚フレーム１１の先端に形成された凹部１１０Ａに設けられているため、脚フレーム１１への取付面積を確保することができ、確実に取り付けることができる。さらに、蓄光パーツ１１０Ｐの体積を確保することができるため、良好に発光させることができる。
【００７４】
また、蓄光パーツ１１０Ｐの設けられた識別表示部材１００は、キャスタ１２とともに脚フレーム１１に締結固定されているため、蓄光パーツ１１０Ｐの締結構造とキャスタ１２の締結構造とを共通化することができ簡易な構成とすることができるとともに、キャスタ１２により移動可能な構成とすることができる。
【００７５】
また、脚フレーム１１の下面に放射線状に形成されたリブ１１０Ｒと、識別表示部材１００の上面に形成された嵌合溝１２０Ａとが嵌合することにより、蓄光パーツ１１０Ｐは脚フレーム１１に対して水平方向に位置決めされる。
【００７６】
また、夜間等の照度が低い状況において、蓄光パーツ１１０Ｐは蓄光性材料から形成されているため発光する。よって、看護師や患者等の利用者は、蓄光パーツ１１０Ｐにより、点滴スタンド１の所在や点滴スタンド１の全体的な大きさを把握できるため、使い勝手を良好とすることができる。
【００７７】
また、識別表示部材１００及び蓄光パーツ１１０Ｐは、弾性を有する樹脂材料により形成されているため、衝撃緩衝性能を有する。よって、他の点滴スタンド１、物品、構造物等と衝突しても、脚フレーム１１の損傷を防止することができる。
【００７８】
これ以外にも、本発明の主旨を逸脱しない限り、上記実施の形態で挙げた構成を取捨選択したり、他の構成に適宜変更したりすることが可能である。
【００７９】
例えば、一の点滴スタンドの識別表示部の色と、他の点滴スタンドの識別表示部の色とを異ならせてもよい。これにより、一の点滴スタンドと他の点滴スタンドとでは、識別表示部の色が異なるため、個々の識別性を高めることができる。
病院において、各診察科に属する点滴スタンドの識別表示部の色を区別すれば、万が一他の診察科に点滴スタンドが移動してしまった場合でも、識別表示部の色を見れば当該点滴スタンドの所属の診察科が分かるため、点滴スタンドの管理、所定の位置への収納が容易になる。
【００８０】
また、本発明は、床面上に設置され、物品を支持する支持部が設けられ脚体構造に適用可能である。よって、上記脚体構造を有するナースカートやワゴン等の什器にも適用可能である。
【符号の説明】
【００８１】
２…脚部ブロック
３…支柱部（支持部）
１０…ボス部（基部）
１１…脚フレーム（延出部）
１２…キャスタ
１００…識別表示部材
１１０Ｐ…蓄光パーツ（識別表示部）
【図１】
0006436561.tif 000002
【図２】
0006436561.tif 000003
【図３】
0006436561.tif 000004
【図４】
0006436561.tif 000005
【図５】
0006436561.tif 000006